(57)【要約】【課題】挿し穂又は接木となる植物体が定着体に定着したのちにおいて、植物体に取付けられている表示具の取外し作業をより困難とすることにある。【解決手段】樹脂製でフィルム状の表示具１０が、無端状のリング部１２で構成された挿通孔１２Ｈを有し、植物体２の茎２ａを挿通孔１２Ｈに挿通しつつ、リング部１２よりも植物体２の茎２ａの端部Ｅ側を、挿し床又は台木となる定着体４に接触させて、植物体２を定着体４に定着させる。【選択図】図１
2018174711.tif 000002
【特許請求の範囲】
【請求項１】
挿木又は接木にて繁殖する植物体に表示具を取付けるための表示具の取付け方法において、
樹脂製又は金属製で膜状の前記表示具が、無端状のリング部で構成された挿通孔を有し、前記植物体の茎を前記挿通孔に挿通しつつ、前記リング部よりも前記植物体の茎の端部側を、挿し床又は台木となる定着体に接触させて、前記植物体を前記定着体に定着させる表示具の取付け方法。
【請求項２】
前記挿通孔の径寸法が、定着前における前記植物体の茎の外形寸法よりも大きい請求項１に記載の表示具の取付け方法。
【請求項３】
前記植物体の茎を前記リング部に挿通した状態を基準として、前記表示具に、前記リング部から前記植物体の茎の径方向外側に張出している表示部が設けられているとともに、前記植物体の茎の延びる方向を向いている前記表示部の面に前記植物体に関する情報が表示される請求項１又は２に記載の表示具の取付け方法。
【発明の詳細な説明】
【技術分野】
【０００１】
本発明は、挿木又は接木にて繁殖（増植）する植物体に表示具を取付けるための表示具の取付け方法に関する。
【背景技術】
【０００２】
植物体の人為的な繁殖方法として、例えば植物体を枝単位で栄養生殖させる挿木や接木などの手法が知られている。挿木では、挿し穂となる植物体を母株から得たのち、この植物体を、定着体としての挿し床に定着させる。また接木では、母木から得られた穂木となる植物体に人為的な切断面を形成し、この植物体の切断面を、定着体としての台木の切断面に癒着させて定着させる。そして上述の挿木や接木においては、繁殖させる植物体毎に表示具を取付けて、この表示具に表示された情報を基に植物体を管理することとなる。例えば表示具には、植物名や植物画像や栽培方法などの植物体に関する情報が表示され、なかでも種苗法などの産業財産権に関する情報（品種の登録番号や出願番号など）を表示しておくことが望ましい。例えば表示具に品種の登録番号等を表示しておくことで、違法増植を防ぐとともに、登録品種である（出願中である）ことを消費者に明確に伝えることができる。
【０００３】
この種の表示具として、例えば特許文献１に開示の園芸用ラベルを用いることが考えられる。この園芸用ラベルは、面状のラベル本体部と、このラベル本体部の一端に一体化されている帯状の巻付け部とを有している。ラベル本体部は、植物体の情報が記入される正面視で略矩形の部分であり、巻付け部の先端を差込み可能な差込み用切込み部を有している。また巻付け部は、植物の茎に巻き付け可能な可撓性を有している帯状の部位であり、略半円状の折り曲げ係止用切込み部が適宜の位置に設けられている。そして公知技術では、植物体の茎に巻付け部を巻き付けつつ、この巻付け部の先端を、折り曲げ係止用切込み部とともにラベル本体部の差込み用切込み部に差込んでいく。つぎに巻付け部を折り曲げて折り曲げ係止用切込み部を立て、この立てられた状態の折り曲げ係止用切込み部を、ラベル本体部の差込み切込み部の周縁に係止しておく。
【先行技術文献】
【特許文献】
【０００４】
【特許文献１】特開２０１０−１７１０８号公報
【発明の概要】
【発明が解決しようとする課題】
【０００５】
ところでこの種の表示具は、輸送中や店頭販売時において植物体の取り違えを極力防止する観点から、挿し穂又は接木となる植物体が定着体に定着したのちに安易に取外すべきではない。しかし公知技術の園芸用ラベルは、例えば折り曲げ係止用切れ込み部を寝かせながらラベル本体部から抜き出すことで、極力破損させることなく比較的容易に植物体から取外すことが可能である。このため公知技術の園芸用ラベルは、植物体の取り違えを防止する観点から、すんなり採用できる構成ではなかった。本発明は上述の点に鑑みて創案されたものであり、本発明が解決しようとする課題は、挿し穂又は接木となる植物体が定着体に定着したのちにおいて、植物体に取付けられている表示具の取外し作業をより困難にすることにある。
【課題を解決するための手段】
【０００６】
上記課題を解決するための手段として、第１発明の表示具の取付け方法は、挿木又は接木にて繁殖する植物体に表示具を取付けるための表示具の取付け方法である。この種の構成においては、挿し穂又は接木となる植物体が定着体に定着したのちにおいて、植物体に取付けられている表示具の取外し作業がより困難であることが望ましい。
【０００７】
そこで本発明では、樹脂製又は金属製で膜状の表示具が、無端状のリング部で構成された挿通孔を有している。そして植物体の茎を挿通孔に挿通しつつ、リング部よりも植物体の茎の端部側を、挿し床又は台木となる定着体に接触させて、植物体を定着体に定着させることとした。本発明では、無端状のリング部で構成された挿通孔に植物体の茎を挿通して植物体に表示具を取付けた状態とし、植物体の茎の端部側を定着体に接触させる。この状態で植物体が定着体に定着すると、定着体が邪魔となって表示具が植物体の茎から抜けにくくなるため、表示具を破損させることなく植物体から取外すことが困難となる。
【０００８】
また第２発明の表示具の取付け方法は、第１発明の表示具の取付け方法において、挿通孔の径寸法が、定着前における植物体の茎の外形寸法よりも大きい。本発明では、挿通孔の径寸法を植物体の茎よりも大寸としたことにより、表示具によって植物体の成長が妨げられることを極力回避することができる。
【０００９】
また第３発明の表示具の取付け方法は、第１発明又は第２発明の表示具の取付け方法において、植物体の茎をリング部に挿通した状態を基準として、表示具に、リング部から植物体の茎の径方向外側に張出している表示部が設けられているとともに、植物体の茎の延びる方向を向いている表示部の面に植物体に関する情報が表示される。本発明では、表示部の比較的人目に付きやすい面に情報を表示しておくことで、植物体の管理がスムーズとなり使い勝手の良い構成となる。さらに表示部を、リング部から植物体の茎の径方向外側に張出させたことにより、この表示部によって植物体の成長が妨げられることを極力回避することができる。
【発明の効果】
【００１０】
本発明に係る第１発明によれば、挿し穂又は接木となる植物体が定着体に定着したのちにおいて、植物体に取付けられている表示具の取外し作業をより困難にすることができる。また第２発明によれば、植物体の成長を極力妨げることなく、植物体に取付けられている表示具の取外し作業をより困難にすることができる。そして第３発明によれば、植物体の成長を極力妨げることなく、植物体に取付けられている使い勝手の良い表示具の取外し作業をより困難にすることができる。
【図面の簡単な説明】
【００１１】
【図１】挿木の手順を示す概略図である。
【図２】表示具の表面側の正面図である。
【図３】表示具の裏面側の正面図である。
【図４】定着体に定着した植物体の斜視図である。
【図５】変形例にかかる表示具の表面側の正面図である。
【図６】実施例２にかかる接木の手順を示す概略図である。
【発明を実施するための形態】
【００１２】
以下、本発明を実施するための形態を、図１〜図６を参照して説明する。各図には、挿木又は接木の作業時における植物体を基準として、植物体と定着体と表示具の上下方向と左右方向と前後方向を示す矢線を適宜図示することがある。本実施例の表示具の取付け方法は、挿木又は接木にて繁殖する植物体２に表示具１０を取付けるための表示具の取付け方法である。そしてこの種の表示具１０は、植物体２の取り違えを極力防止する観点から、植物体２が定着体４に定着したのちに安易に取外すべきではない。そこで本実施例では、後述する構成によって、挿し穂又は接木となる植物体２が定着体４に定着したのちにおいて、植物体２に取付けられている表示具１０の取外し作業をより困難にすることとした。以下、表示具１０の取付け手法について詳述する。
【００１３】
［実施例１］
本実施例では、図１を参照して、植物体２の人為的な繁殖方法である挿木を一例に表示具１０の取付け手法を説明する。この挿木では、挿し穂となる植物体２を用意し、植物体２に表示具１０を取付ける第一工程と、定着体４としての挿し床に植物体２を接触させて定着させる第二工程とを行う。そして第一工程と第二工程を個別に行ってもよいが、両工程を一連の作業で行うことにより挿木の作業効率を高めることができる。なお本実施例では、植物体２の茎２ａの延びる方向を上下方向とし、植物体２の茎２ａの径方向外方を、上下方向に交差する向き（前後左右方向等）とする。
【００１４】
［植物体］
ここで挿し穂となる植物体２は、挿木による繁殖が可能な母株から得ることができ、この種の母株として木本類や草本類の植物を想定できる。木本類の植物として、スギやヒノキやクロマツなどの針葉樹、サクラやカシやバラなどの広葉樹を例示できる。また草本類の植物として、ベゴニアやカーネーションやキクなどの花卉類、トマトやキュウリやセイジなどの野菜類を例示できる。また挿し穂としての植物体２は、母株である植物の少なくとも一部であり、緑枝（当年枝）や熟枝（前年以前に伸びた枝）などの枝を好適に用いることができ、必要に応じて、その他の母株部分（頂芽や腋芽などの芽、葉や子葉、胚軸など）を用いることもできる。本実施例では、複数又は単数の葉２ｂを備えた枝を植物体２として用意しており、この植物体２には、腋芽などの側芽を有していることが好ましい。
【００１５】
［表示具］
第一工程では、用意した植物体２に表示具１０を取付ける。この表示具１０は、図２及び図３を参照して、フィルム状（膜状）に成形された樹脂製の部材であり、リング部１２と、表示部１４を備えている。リング部１２は、無端状とされた正面視で円盤状の部位であり、植物体２の茎２ａを挿通可能な上方視で略円形の挿通孔１２Ｈが設けられている。この挿通孔１２Ｈの径寸法φ１は、定着前における植物体２の茎２ａの径寸法φ２よりも大寸とされており、例えば植物体２の出荷時又は生育後における植物体２の茎２ａの径寸法に合わせておくことが望ましい。このように挿通孔１２Ｈの径寸法φ１を植物体２の茎２ａよりも大きくしたことにより、後述の通り表示具１０にて植物体２の成長が妨げられることを極力回避することができる。さらに挿通孔１２Ｈは、その周囲（径方向外側）に無端状のリング部１２が配置されることで切目や開口のない状態とされている（リング部１２の外径寸法φ３（φ３＞φ１＞φ２））。そして表示部１４は、リング部１２の外縁の一部に一体化されている上方視で略矩形の部位であり、各種の情報を表示しておくことができる。この表示部１４の幅寸法Ｗ１は、リング部１２の外径寸法φ３よりも小寸とされてスマートな外形形状とされている。そして表示部１４は、リング部１２の外縁からその径方向外側に大きく張出しているため、相対的に多くの情報を記入することが可能である（表示部１４の長さ寸法：Ｌ１）。
【００１６】
ここで表示具１０の素材として、各種の金属や樹脂製の薄膜を用いることができ、特に適度な可撓性を備え且つ軽量な樹脂製のフィルム材（膜材）を素材に用いることが望ましい。この種の樹脂として、ポリエステル樹脂、ポリエチレン樹脂、ポリプロピレン樹脂、ポリメチルペンテン樹脂、ポリ塩化ビニル樹脂、ポリ塩化ビニリデン樹脂、ポリビニルアルコール樹脂、塩化ビニル−酢酸ビニル共重合樹脂、エチレン−酢酸ビニル共重合樹脂、エチレン−ビニルアルコール共重合樹脂、ナイロン６又はナイロン６６等のポリアミド樹脂、三酢酸セルロース樹脂、ポリスチレン樹脂、ポリカーボネート樹脂、ポリアリレート樹脂、ポリイミド樹脂を例示できる。なかでも耐光性に優れて劣化や変色しにくいポリエステル樹脂を表示具１０の素材として用いることが望ましい。そして樹脂をフィルム状（膜状）に成形するに際しては、その厚み寸法を２ｍｍ以下に設定することが望ましく、表示具１０の強度性と軽量性の観点から厚み寸法を１ｍｍ〜０．１ｍｍ（１００μｍｍ）に設定しておくことが望ましい。
【００１７】
そして第一工程において、図１に示すように植物体２の茎２ａを挿通孔１２Ｈに挿通することにより、植物体２に表示具１０を取付けることができる。このとき定着前で細い植物体２の茎２ａを、相対的に大寸の挿通孔１２Ｈにスムーズに挿通できる。そして柔らかい葉２ｂも併せて挿通孔１２Ｈに挿通しておくことにより、表示具１０を、植物体２の端部Ｅに最も近い葉２ｂの葉柄（側芽）などに引っ掛けて保持させておくことができる。このときリング部１２を、植物体２の端部Ｅに最も近い葉２ｂの葉柄（側芽）と、その次の葉２ｂの葉柄（側芽）の間に配置しておくことが望ましい。そして植物体２に表示具１０を取付けた状態においては、表示具１０の厚み方向が植物体２の茎２ａの延びる上下方向に一致し、さらに表示部１４とリング部１２が、植物体２の茎２ａの径方向外側（例えば前後左右の適宜の向き）に張出して配置される。このように本実施例では、表示具１０の厚み方向を植物体２の茎２ａの延びる上下方向に一致させたことで、表示具１０が、その厚み寸法の分だけ植物体２の茎２ａに重なることとなり、植物体２の茎２ａを極力外部に露出させておくことができる。このように表示具１０にて覆われている植物体２部分を最小限にしたことで、例えば植物体２の茎２ａの側芽や不定芽の成長が表示具１０によって妨げられることを好適に回避できる。
【００１８】
また上述の状態では、表示部１４の表面ＳＳと裏面ＲＳが、植物体２の茎２ａの延びる方向を向いて配置されて、相対的に人目に付きやすい状態で配置される。そして表示部１４の表面ＳＳは、植物体２の生育過程において、常時人目に付きやすい状態で配置されている。そこで表示部１４の表面ＳＳに、植物名や植物画像や栽培方法などの植物体に関する情報や、製造販売元に関する情報や、種苗法などの産業財産権に関する情報（品種の登録番号や出願番号など）を表示しておくことができる。このように比較的人目に付きやすい表示部１４の表面ＳＳに重要な情報を表示しておくことで、植物体２の管理がスムーズとなり使い勝手の良い構成となる。また表示具１０の裏面ＲＳにも、上記の情報を記載でき、さらにＪＡＮコード（ＪＩＳ制定の標準商品表示）などで管理情報や固体情報を表示しておくこともできる。そして表示部１４が、植物体２の茎２ａの径方向外側に張出して植物体２の茎２ａに接しないように配置されるため、表示部１４によって植物体２の成長が妨げられることを極力回避することができる。このため本実施例では、植物体２の成長が妨げられることを極力回避しつつ、表示部１４の表面積を大きくして記載される情報量を増やすことができる。なお表示具１０では、表示部１４とともに、リング部１２の表裏面も利用して各種の情報を表示しておくことができる。
【００１９】
ここで表示部１４に対する情報の表示のタイミングは特に限定しない。例えば表示部１４は、第一工程の前に情報が表示されていてもよいが、第一工程の前に重要度の高い情報（例えば品種の登録番号）を表示しておき、出荷時や店頭販売時にその他の情報（例えば店頭毎に表記したい情報等）を表示することもできる。また表示部１４に対する情報の表示手法として、印刷、手書き、印字、表示体の接着や貼着を例示できるが、重要度の高い情報は印刷などの除去されにくい手法で表示しておくことが望ましい。こうして本実施例では、表示具１０に複数の情報を表示できるため、植物体２や後述の栽培鉢６などに、情報を表示したラベルやシールを別途取付ける必要がない（表示具が、ラベルやシールを兼用する構成である）。
【００２０】
［変形例］
ここで表示具の構成は、上述の構成のほか、各種の構成を取り得る。例えば図５を参照して、変形例の表示具１０Ａでは、表示部１４Ａの幅寸法Ｗ２が、リング部１２の外径寸法φ３よりも寸大とされて、リング部１２の外縁からその径方向外側に大きく張出している（長さ寸法：Ｌ２）。このため本変形例の表示具１０Ａは、実施例１の表示具１０に比して表面積の大きな表示部１４Ａに多くの情報を表示することが可能である。また表面積の大きな表示部１４Ａによってリング部１２を補強することができ、意図しない外力によるリング部１２の破損（破断）をより好適に回避することができる。
【００２１】
［定着体］
つぎに第二工程では、図１に示す定着体４としての挿し床に、表示具１０を取付けた植物体２を接触させて定着させる。ここで定着体４としての挿し床は、対象となる植物体２の生育に適しているものであればよく、この種の挿し床として、赤玉土や鹿沼土等の自然土壌、ガラスビーズ等の人工土壌、ピートモスやココヤシピート（ココピート）などの用土を例示でき、土壌改良材や防虫剤などの各種薬剤を適宜混合できる。また土壌改良材として、軽石やパーライトやバーミキュライトやゼオライトなどの多孔質無機物、くん炭、腐葉土、有機性肥料、無機性肥料を例示できる。そして定着体４は、露天の耕地を利用して形成してもよいが、本実施例においては、植物体２の生育に適した土壌用土成分で定着体４を形成し、この定着体４を栽培鉢６に収容している。
【００２２】
そして第二工程において、栽培鉢６内の定着体４に植物体２を挿して接触させた状態とし、適正な条件下で植物体２の発根を促すことにより、植物体２を定着体４に定着させていく。このとき表示具１０よりも下方に位置している植物体２の茎２ａの端部Ｅを定着体４に挿しておく。ところで植物体２の生育に際しては、植物体２の茎２ａが成長して太くなるのであるが、その成長途中でリング部１２の内縁に接してストレスを受けると、その接した茎部分の成長が止まってしまうおそれがある。そこで本実施例では、挿通孔１２Ｈの径寸法φ１を定着前における植物体２の茎２ａの径寸法φ２よりも大寸としている。こうすることで成長過程における植物体２の茎２ａとリング部１２の内縁の接触が極力回避され、表示具１０を、植物体２の茎２ａにストレスを極力与えない構成とすることができる。
【００２３】
そして図４を参照して、植物体２が定着体４に定着する頃には、植物体２の根ＲＴが定着体４内に十分に張りめぐらされた状態となる。このため植物体２の茎２ａから表示具１０を下方に移動させようとしても定着体４が邪魔となり、表示具１０を破損させることなく取外すことが極めて困難となる。また表示具１０を上に移動させようとしても、適度に成長して太くなった植物体２の茎２ａが挿通孔１２Ｈとの間を狭めるため葉などを通すことができない。さらにこの頃の植物体２では、葉の代わりに腋芽や他の部分の不定芽から別の茎２ｃが生じており、この別の茎２ｃが表示具１０の取外しの際に邪魔となるため、表示具１０を植物体２から取外すことが一層困難となる。こうして本実施例では、植物体２を定着体４に定着させることにより、無端状のリング部１２が植物体２の茎２ａから抜けにくくなるため、表示具１０が安易に取外されることを好適に回避することができる。
【００２４】
以上説明した通り本実施例では、無端状のリング部１２に植物体２の茎２ａを挿通して植物体２に表示具１０を取付けた状態として、植物体２の茎２ａの端部Ｅ側を定着体４に接触させる。この状態で植物体２が定着体４に定着すると、この定着体４が邪魔となって表示具１０が植物体２の茎２ａから抜けにくくなるため、表示具１０を破損させることなく植物体２から取外すことが困難となる。また挿通孔１２Ｈの径寸法を植物体２の茎２ａよりも大寸としたことにより、表示具１０によって植物体２の成長が妨げられることを極力回避することができる。そして表示部１４の比較的人目に付きやすい面（表面ＳＳや裏面ＲＳ）に情報を表示しておくことで、植物体２の管理がスムーズとなり使い勝手の良い構成となる。さらに表示部１４を、リング部１２から植物体２の茎２ａの径方向外側に張出させたことにより、この表示具１０によって植物体２の成長が妨げられることを極力回避することができる。このため本実施例によれば、挿し穂又は接木となる植物体２が定着体４に定着したのちにおいて、植物体２に取付けられている表示具１０の取外し作業をより困難にすることができる。
【００２５】
［実施例２］
実施例２の表示具の取付け方法では、実施例１の取付け方法とほぼ同一の基本構成を備える構成については、対応する符号を付す等して詳細な説明を省略する。本実施例では、図６を参照して、植物体２Ａの人為的な繁殖方法である接木を一例に、表示具１０の取付け手法を説明する。この接木では、用意された穂木となる植物体２Ａに切断面２０を形成するとともに、植物体２Ａに表示具１０を取付ける第一工程と、定着体４Ａとしての台木に植物体２Ａを接触させて定着させる第二工程と行う。そして第一工程と第二工程を個別に行ってもよいが、両工程を一連の作業で行うことにより接木の作業効率を高めることができる。また植物体２Ａに切断面２０を形成する作業は第一工程の前又は後に行うことができる。なお本実施例においても、植物体２Ａの茎２ｄの延びる方向を上下方向とし、植物体２Ａの茎２ｄの径方向外方を、上下方向に交差する向き（前後左右方向等）とする。
【００２６】
ここで穂木となる植物体２Ａは、接木による繁殖が可能な母木から得ることができ、この種の母木として典型的に木本類の植物を想定できるが、可能ならば野菜などの草本類の植物を用いることもできる。なお接木に特に適した植物として、クロマツやエゾマツなどの松類に代表される針葉樹、ヒイラギやミカンやビワやどの常緑樹、アンズや桜やリンゴなどの落葉樹、バラやハイビスカスやサボテンなどの観葉植物を例示できる。また穂木としての植物体２Ａは、母木である植物の少なくとも一部であり、緑枝や熟枝などの枝を好適に用いることができ、必要に応じて、その他の母木部分を用いることもできる。本実施例では、複数又は単数の側芽２ｅを備えた枝を植物体２Ａとして用意し、この植物体２Ａの端部Ｅに切断面２０を形成しておく。
【００２７】
ここで接木（枝接ぎ）の手法として、切り接ぎ、割り接ぎ、舌次、袋接ぎ、合わせ接ぎを例示でき、本実施例では、切り接ぎによって、植物体２Ａを、後述の定着体４Ａとしての台木に接木する。そこで植物体２Ａには、その端部Ｅの両側を刃などで斜めに切り落とすことで形成された一対の切断面２０が形成されており、これら一対の切断面２０が、後述する定着体４Ａとしての台木の切断面２２にそれぞれ接することとなる。
【００２８】
そして第一工程において、図６に示すように植物体２Ａの茎２ｄを挿通孔１２Ｈに挿通することにより、植物体２Ａに表示具１０を取付けることができる。なお本実施例においても、表示具１０を、植物体２Ａの端部Ｅに最も近い側芽２ｅなどに引っ掛けて保持させておくことができる。そして植物体２Ａに表示具１０を取付けた状態においては、表示具１０の厚み方向が植物体２Ａの茎２ｄの延びる上下方向に一致し、さらに表示部１４とリング部１２が、植物体２Ａの茎２ｄの径方向外側（例えば前後左右の適宜の向き）に張出して配置される。
【００２９】
つぎに第二工程では、定着体４Ａとしての台木に、表示具１０を取付けた植物体２Ａを接触させて定着させる。ここで定着体４Ａとしての台木は、接穂の定着が可能なものであればよいが、性質が近く相性の良いもの（親和性の高いもの）が好ましく、分類学上の近親関係にあるものほど相性が良いことが知れられている。そして定着体４Ａとしての台木には一対の切断面２２が設けられている。これら一対の切断面２２は、例えば台木の上面に切れ込みを入れたのち、この切れ込みを開いた状態とすることで形成できる。そして定着体４Ａとしての台木の切れ込み部分に植物体２Ａの端部Ｅを差込んで、対応する切断面２０，２２同士を接触させ、この差し込まれた状態を維持するように定着体４Ａの回りに帯状の拘束具３０を巻き付けておく。このとき表示具１０よりも下方に位置している植物体２Ａの茎２ｄの端部Ｅを定着体４Ａに差し込んでおく。こうして植物体２Ａの各切断面２０と定着体４Ａの各切断面２２を接触させた状態として、適正な条件下で植物体２Ａの組織と定着体４Ａの組織の癒着を促すことにより、植物体２Ａを定着体４Ａに定着させていく。
【００３０】
そして植物体２Ａが定着体４Ａに定着する頃には、植物体２Ａの切断面２０が定着体４Ａの切断面２２に十分に癒着して一体化した状態となる。このため植物体２Ａの茎２ｄから表示具１０を下方に移動させようとしても定着体４Ａが邪魔となり、表示具１０を破損させることなく取外すことが極めて困難となる。また表示具１０を上に移動させようとしても、側芽２ｅから生じた別の茎（図示省略）が表示具１０の取外しの際に邪魔となるため、表示具１０を植物体２Ａから取外すことが困難となる。こうして本実施例においても、植物体２Ａを定着体４Ａに定着させることにより、無端状のリング部１２が植物体２Ａの茎２ｄから抜けにくくなるため、表示具１０が安易に取外されることを好適に回避することができる。
【００３１】
本実施形態は、上述した実施形態に限定されるものではなく、その他各種の実施形態を取り得る。本実施形態では、表示具１０，１０Ａの構成（形状，寸法，配置位置，取付け数など）を例示したが、表示具の構成を限定する趣旨ではない。例えば表示具は、リング部のみで形成されていてもよく、この場合にはリング部が表示部としての機能を発揮することとなる。またリング部は、円盤状のほか、筒状などの各種の形状を取り得る。また表示部は、表示すべき情報に応じて表面積や形を変更可能であり、略矩形状等の多角形状や、半円や半楕円形状、花形等を模した図形などの各種の幾何学的な形状を取ることができる。また表示部に表示すべき情報も適宜変更可能であり、文字や図形情報のほか、可能であるならば音声情報や動画情報を所定の手法で表示でき、さらに表示部の表面に凹凸や孔部を付すなどして点字によって情報を表示することもできる。
【００３２】
また本実施形態では、挿通孔１２Ｈの径寸法を、定着前における植物体２の茎２ａの外形寸法よりも大きくした例を説明した。これとは異なり植物の成長を極端に阻害しないならば、挿通孔の径寸法を、植物の茎の外形寸法に極力近づけることもできる。また挿通孔の形状は、円形のほか、楕円形や多角形状などの各種の形状を取ることができ、植物体の茎の断面形状と概ね一致していることが望ましいが、茎の断面形状とは異なっていてもよい。また表示具に径の異なる複数の挿通孔を設けることもでき、植物体の種類に応じて挿通孔を適宜使い分けることもできる。なお挿通孔の形状は、リング部の外形形状に一致していてもよく一致していなくともよい。
【００３３】
また本実施形態では、挿木と接木の一般的な手法を例示したが、本実施例の構成を適用可能である限り、挿木と接木の手法を適宜変更することができる。例えば挿木の際に用いる定着体は、栽培鉢のほか、プランターなどの各種の容器に収容しておくことができる。また容器を用いる場合には、一つの容器で複数又は単数の植物体を生育させることができる。
【符号の説明】
【００３４】
２     植物体（実施例１の植物体）
２Ａ   植物体（実施例２の植物体）
２ａ，２ｄ  茎
２ｂ   葉
２ｃ   別の茎
２ｅ   側芽
４     定着体（実施例１の定着体）
４Ａ   定着体（実施例２の定着体）
６     栽培鉢
１０   表示具
１０Ａ 変形例の表示具
１２   リング部
１２Ｈ 挿通孔
１４   表示部
１４Ａ 変形例の表示部
２０   植物体側の切断面
２２   定着体側の切断面
３０   拘束具
Ｅ     植物の茎の端部
ＲＴ   植物の根
ＳＳ   表示部の表面
ＲＳ   表示部の裏面
【図１】
2018174711.tif 000003
【図２】
2018174711.tif 000004
【図３】
2018174711.tif 000005
【図４】
2018174711.tif 000006
【図５】
2018174711.tif 000007
【図６】
2018174711.tif 000008